(57)【要約】【課題】  等倍画像を伝送する際の空き領域を使用して縮小画像を伝送する。【解決手段】  玄関子機１にカメラ１１が出力する画像を縮小する画像縮小部１２と、画像データを圧縮する画像圧縮部１３と、圧縮率を変更する圧縮率判定部１４と、他の玄関子機１から伝送されたデータを中継する第１伝送部１８と、画像圧縮部１３から出力される画像データ及び第１伝送部１８が受信した中継データを居室親機２へ伝送する第２伝送部１９とを設け、居室親機２に複数の画像データを受信する伝送部２１と、受信した複数の画像をモニタ２５に表示するための画像合成部２４と、撮像画像を等倍画像データで出力する玄関子機１と縮小画像データで出力する玄関子機１とを指定する親機ＣＰＵ２９とを設けた。第２伝送部１９に等倍画像データをフレーム単位で伝送しながらフレームの空き領域に縮小画像データを挿入する画像データ合成回路１９ａを設けた。【選択図】  図２
2012205107.tif 000002
【特許請求の範囲】
【請求項１】
来訪者を撮像する為のカメラ及び居住者を呼び出して通話する機能を備えた複数の玄関子機と、前記カメラの撮像映像を表示する為のモニタ及び前記玄関子機からの呼び出しに応答する機能を備えた居室親機とを有し、前記複数の玄関子機と前記居室親機とはデジタル伝送路のカスケード接続により接続されたテレビドアホン装置において、
前記玄関子機は、前記カメラが出力する画像データの画像サイズを縮小する画像縮小部と、前記カメラまたは前記画像縮小部が出力する画像データを圧縮する画像圧縮部と、前記画像圧縮部の圧縮率を変更する圧縮率判定部と、他の玄関子機から伝送されたデータを中継する第１伝送部と、前記画像圧縮部から出力される画像データ及び第１伝送部が受信した中継データの双方を前記居室親機へ伝送する第２伝送部とを有する一方、
前記居室親機は、伝送されてきた複数の画像データを受信する伝送部と、受信した複数の画像を同時にモニタに表示するために画像合成する画像合成部と、カメラ撮像画像を等倍画像データで出力する玄関子機と縮小画像データで出力する玄関子機とを指定する出力画像制御部とを有し、
前記第２伝送部は、等倍画像データをフレーム単位で伝送しながら、前記フレームの空き領域に縮小画像データを挿入して出力する画像データ合成回路を有することを特徴とするテレビドアホン装置。
【請求項２】
前記居室親機は、受信した等倍画像データのデータサイズ及び縮小画像データサイズを読み取り、縮小画像を出力する前記玄関子機の前記圧縮率判定部に対してフレームの空き領域に応じたデータサイズの縮小画像を生成するよう圧縮率制御信号を送信する圧縮率操作手段を有することを特徴とする請求項１記載のテレビドアホン装置。
【発明の詳細な説明】
【技術分野】
【０００１】
本発明はカメラを備えたテレビドアホン装置に関し、特に居住者を呼び出すための玄関子機を複数備え、来訪者映像や音声、制御信号をデジタル化して伝送するテレビドアホン装置に関する。
【背景技術】
【０００２】
従来から、デジタル伝送路を用いて映像信号、制御信号、更には音声信号をデジタル化して伝送するテレビドアホン装置がある。このようなテレビドアホン装置は、玄関子機に設けた１台のカメラの撮像画像を伝送して居室親機のモニタに表示することを前提にしており、同時に複数のカメラの撮像画像を伝送できるようにデータ伝送速度が設定されてはいない。そのため、複数のカメラが撮像した画像を居室親機に同時に伝送する場合、伝送路を時間分割して１画面あたりのデータ量を削って他の画像データを送っていた（例えば、特許文献１参照）。
【先行技術文献】
【特許文献】
【０００３】
【特許文献１】特開２００９−１５９２２９号公報
【発明の概要】
【発明が解決しようとする課題】
【０００４】
上述したように、複数の画像データを同時に伝送する場合、１画像あたりのデータ量を削って他の画像データを送ることになる為、連続する画像を伝送して映像としてモニタに表示させる場合は荒い映像となった。このような画像の劣化を最小限に留める伝送形態を考えると、画像に優先順位を付けて、１画像は極力劣化させずに伝送し、即ちデータ量を極力削減せずに伝送し、他の画像をその分大きく削減して小画像データとして伝送する形態が考えられる。
しかしながら、伝送路を時分割する上記従来の方法では、等倍表示用の画像を伝送する伝送路の伝送可能データサイズを縮小画面用の画像データを伝送する分だけどうしても削る必要があり、やはり画像の圧縮率を上げて画像データサイズを小さく抑えなければならなかった。そのため、等倍表示画像の画質もある程度劣化する状況は回避できなかった。
【０００５】
一方で、ＪＰＥＧ等によって画像圧縮されたデータは、１画像のデータサイズが元の映像の内容によって大幅に変動する特徴をもっている。そのため、圧縮された画像データサイズは伝送路に対してある程度の余裕をもって伝送され、通常は平均的な画像で最大値の７〜８割程度のデータ量に抑え、複雑な映像の場合に初めて最大値近くになるように圧縮率が調整される。従って、ほとんどの場合では伝送路は２〜３割空いている状態で使っている。
【０００６】
そこで、本発明はこのような問題点に鑑み、等倍画像を伝送する際の空き領域を使用して縮小画像を効果的に伝送することで、等倍画像を劣化させることなく縮小画像を居室親機にて良好に表示できるテレビドアホン装置を提供することを目的としている。
【課題を解決するための手段】
【０００７】
上記課題を解決する為に、請求項１の発明は、来訪者を撮像する為のカメラ及び居住者を呼び出して通話する機能を備えた複数の玄関子機と、カメラの撮像映像を表示する為のモニタ及び玄関子機からの呼び出しに応答する機能を備えた居室親機とを有し、複数の玄関子機と居室親機とはデジタル伝送路のカスケード接続により接続されたテレビドアホン装置において、玄関子機は、カメラが出力する画像データの画像サイズを縮小する画像縮小部と、カメラまたは画像縮小部が出力する画像データを圧縮する画像圧縮部と、画像圧縮部の圧縮率を変更する圧縮率判定部と、他の玄関子機から伝送されたデータを中継する第１伝送部と、画像圧縮部から出力される画像データ及び第１伝送部が受信した中継データの双方を居室親機へ伝送する第２伝送部とを有する一方、居室親機は、伝送されてきた複数の画像データを受信する伝送部と、受信した複数の画像を同時にモニタに表示するために画像合成する画像合成部と、カメラ撮像画像を等倍画像データで出力する玄関子機と縮小画像データで出力する玄関子機とを指定する出力画像制御部とを有し、第２伝送部は、等倍画像データをフレーム単位で伝送しながら、フレームの空き領域に縮小画像データを挿入して出力する画像データ合成回路を有することを特徴とする。
この構成によれば、機器間のデジタル伝送路のデータ伝送容量が１台のカメラの画像データを縮小せず等倍画像で伝送可能な程度であっても、等倍画像の圧縮率を変更することなく縮小画像も同時に伝送することが可能となる。よって、等倍画像の画質を維持しながらピクチャ・イン・ピクチャ等で圧縮画像も表示させることができる。
【０００８】
請求項２の発明は、請求項１に記載の構成において、居室親機は、受信した等倍画像データのデータサイズ及び縮小画像データサイズを読み取り、縮小画像を出力する玄関子機の圧縮率判定部に対してフレームの空き領域に応じたデータサイズの縮小画像を生成するよう圧縮率制御信号を送信する圧縮率操作手段を有することを特徴とする。
この構成によれば、等倍画像データサイズが変動しても縮小画像の表示を一定のフレームレートに制御できるため、モニタに表示された縮小画像による表示映像がぎこちない動作の映像にならず自然な動作で表示され、縮小画像が長時間静止画になったり、映像の遅延や乱が発生する事態を防止できる。
【発明の効果】
【０００９】
本発明によれば、デジタル伝送路のデータ伝送容量が１台のカメラの画像データ程度であっても、等倍画像の圧縮率を変更することなく縮小画像も同時に伝送することが可能となる。よって、等倍画像の画質を維持しながらピクチャ・イン・ピクチャ等で圧縮画像も表示させることができる。
【図面の簡単な説明】
【００１０】
【図１】本発明に係るテレビドアホン装置の一例を示す構成図であり、個々の機器を回路ブロック図で示している。
【図２】画像データの構成を示し、（Ａ）は合成前の等倍画像と縮小画像の構成、（Ｂ）は合成後の構成である。
【図３】縮小画像データを挿入した等倍画像のデータフレームの内部構成を示し、図２に示す第１〜第４フレームまでのデータ構成を示している。
【図４】画像を合成する流れを示すフローチャートである。
【発明を実施するための形態】
【００１１】
以下、本発明を具体化した実施の形態を、図面を参照して詳細に説明する。図１は本発明に係るテレビドアホン装置の一例を示す構成図であり、個々の機器を回路ブロックで示している。ここでは、２台の玄関子機（第１玄関子機１ａと第２玄関子機１ｂと）１と居室親機２とを備えた構成を示している。また夫々の機器は、第１玄関子機１ａ、第２玄関子機１ｂ、居室親機２の順に伝送線Ｌ１、Ｌ２によりカスケード接続されている。
【００１２】
第１玄関子機１ａと第２玄関子機１ｂは同一の構成であり、来訪者を撮像するためのカメラ１１、カメラ１１の撮像画像を縮小する画像縮小部１２、画像データをＪＰＥＧ圧縮する画像圧縮部１３、画像圧縮部１３の圧縮率を切り替える圧縮率判定部１４、画像圧縮するための量子化テーブルを生成する量子化テーブル生成部１５、通話するためのマイク／スピーカ部１６、音声信号を圧縮／伸張するオーディオコーデック部１７、他の玄関子機１の信号及び居室親機２からの信号を中継する第１伝送部１８、居室親機２或いは居室親機２側に接続された玄関子機１と通信する第２伝送部１９、図示しない呼出ボタン等を備えている。
尚、第２伝送部１９は後述する画像データ合成回路１９ａを備えている。また、第１伝送部１８は第２玄関子機１ｂのように玄関子機１をカスケード接続した時に使用される為、第１玄関子機１ａの第１伝送部１８はこの実施形態では機器が接続されず使用されない。
【００１３】
居室親機２は、玄関子機１と通信するための伝送部２１、玄関子機１から伝送された圧縮画像を伸張する画像伸張部２２、伝送された画像データを一時的に記憶する画像バッファ部２３、複数の画像をモニタ２５に表示する際に表示画像を生成する画像合成部２４、画像を表示するモニタ２５、通話するためのマイク／スピーカ部２６、音声信号を圧縮／伸張するオーディオコーデック部２７、応答操作やカメラ１１の表示操作等の各種操作を行う操作部２８，カメラ１１の撮像画像の圧縮率制御、画像の等倍／圧縮の変更制御、そして居室親機の各ブロックの制御等を行う親機ＣＰＵ２９等を備えている。
【００１４】
玄関子機１の画像縮小部１２は、居室親機２からの制御信号を受けてカメラ１１が出力する画像データの縮小を実施し、縮小しない指示を受けたら入力された画像データを縮小せずに画像圧縮部１３へ出力する。居室親機２は操作部２８の所定の画像表示操作或いは玄関子機１の呼出操作等を基に、双方のカメラ１１の画像を同時にモニタ２５で表示する場合は、どちらのカメラ１１の撮像画像を縮小するか制御し、親機ＣＰＵ２９から第１及び第２の玄関子機１ａ，１ｂに対して制御信号を出力する。
この制御により、どちらかの玄関子機１のカメラ１１の撮像画像が縮小されて、ピクチャ・イン・ピクチャ画像として双方の画像が居室親機２のモニタ２５に表示される。
【００１５】
圧縮率判定部１４は、居室親機２からの制御信号を基に、等倍画像の圧縮に際しては適正なデータサイズになるよう、即ち伝送路Ｌ２の容量であるフレームの最大値に対して７０〜８０％程度のデータサイズとなるよう圧縮率を設定して量子化テーブル生成部１５を制御する。一方、縮小画像を圧縮する際には、等倍画像のデータフレームの空きサイズでデータを伝送できるよう居室親機２からの圧縮率制御信号を基に圧縮率を設定して、量子化テーブル生成部１５に量子化テーブルを生成させる。
【００１６】
居室親機２による圧縮率判定部１４の制御は次のようにして実施される。親機ＣＰＵ２９は、伝送された等倍画像のデータサイズ、及びフレームの空きサイズを読み取って、等倍画像の圧縮率及び縮小画像の圧縮率を設定する。具体的に、伝送された等倍画像のデータサイズから１フレームあたりのデータ量が適正であるか、即ちフレームの最大値に対して７０〜８０％であるか判断し、等倍画像を出力する圧縮率判定部１４に対して圧縮率制御信号を出力する。
【００１７】
また、縮小画像の圧縮率設定は、伝送された等倍画像１フレームの空きサイズと、縮小画像の１画像分のデータサイズをデータフレーム数で割った数値（以下、「分割データサイズ」とする。）とを比較して、この分割データサイズが空きサイズに対して適正な割合（この適正は割合は親機ＣＰＵ２９において予め設定されている）なら縮小画像の圧縮率を前回のまま維持させる。しかし、空きサイズに対して分割データサイズが適正な割合を超えていたら圧縮率を上げる制御を実施し、空きサイズに対して分割データが適正な割合を下回っていたら圧縮率を下げるように圧縮率制御信号を生成して玄関子機１に送信する。
【００１８】
縮小画像の伝送は、後述するように等倍画像のデータフレームの空き領域を使用して実施されるため、このように、データサイズの適正化操作が行われる。この結果、例えば等倍画像の１画像が３０フレームに分割して送信され、縮小画像の１画像が１０フレームに分割されて送信されるよう構成されているような場合は、等倍画像を伝送する３０フレームの空き領域に縮小画像の１０フレームが収まるような制御が実施される。
【００１９】
玄関子機１の第１伝送部１８は、カスケード接続された玄関子機１がある場合は画像／音声データを受け取って第２伝送部１９へ中継する。一方第２伝送部１９を介して居室親機２から送信された制御信号や音声データを中継してカスケード接続された玄関子機１へ伝送する。図１においては、第２玄関子機１ｂの第１伝送部１８は、第１玄関子機１ａから伝送される画像／音声データを受け取って第２伝送部１９へ中継すると共に、居室親機２からの制御信号を中継する。
【００２０】
第２伝送部１９は、１つの等倍画像データ及び少なくとも１つの縮小画像データとから成る複数の画像データを居室親機２に伝送する場合に、画像データを合成して居室親機２へ伝送する画像データ合成回路１９ａを備えている。この画像データ合成回路１９ａはＤＳＰで構成され、１つの等倍画像データ及び少なくとも１つの縮小画像データとから成る複数の画像データを居室親機２に伝送する場合、画像データを合成して居室親機２へ伝送する。
また第２伝送部１９は、第１伝送部１８から伝送された画像／音声データを居室親機２へ伝送し、カメラ１１が撮像した画像データ及びマイク／スピーカ部２６が集音した音声データを居室親機２へ伝送する。また更に、居室親機２から伝送された音声データをオーディオコーデック部１７或いは第１伝送部１８へ伝送する。
【００２１】
具体的に、第２玄関子機１ｂの第２伝送部１９の場合、居室親機２の親機ＣＰＵ２９の制御によってデータ伝送が実施され、例えば第１玄関子機１ａの画像だけを伝送する場合は、中継された第１玄関子機１ａの画像に加えて第１玄関子機１ａの音声データを居室親機２へ伝送し、第２玄関子機１ｂのデータの伝送は行わない。また、第２玄関子機１ｂの画像を等倍画像で伝送し、第１玄関子機１ａの画像を縮小して伝送する場合は、画像データを合成して伝送すると共に、第２玄関子機１ｂの音声データを伝送する。また、第２玄関子機１ｂの画像のみ等倍画像で伝送する場合は、第２玄関子機１ｂの画像／音声データを居室親機２へ伝送する。
【００２２】
居室親機２の伝送部２１は、第２玄関子機１ｂからデータが送られてきたら、画像データは画像伸張部２２へ送り、音声データはオーディオコーデック部２７へ送る。
オーディオコーデック部２７は、伝送された音声データを伸張してマイク／スピーカ部２６へ出力し、マイク／スピーカ部２６が収音した音声を圧縮して音声データを生成して伝送部２１へ出力する。
【００２３】
画像合成部２４は、親機ＣＰＵ２９の制御によって等倍画像と縮小画像の両方が伝送されてきた時に、ピクチャ・イン・ピクチャ画像を生成して１つの画像に合成し、モニタ２５に出力する。尚、画像伸張部２２に送られた画像データは、画像伸張部２２で元の画像データへ復号化され、一旦、画像バッファ部２３へ保存される。保存された画像データは、通常はそのままモニタ２５に送出されて表示される。
【００２４】
このように構成されたテレビドアホン装置は次のように動作する。但し、玄関子機１からの呼び出し、呼出操作によりカメラ１１が起動して居室親機２のモニタ２５に来訪者画像が表示される動作、更に呼び出しに対する居室親機２での応答動作は従来と同様であるため説明を省略し、ここでは第１玄関子機１ａ及び第２玄関子機１ｂの双方から画像データが伝送される場合の画像信号の伝送について図２，図３に基づいて説明する。このように双方のカメラ１１の撮像映像が同時に伝送される状況は、居室親機２において表示操作された場合や、双方の玄関子機１ａ，１ｂが同時に呼出操作された場合等に発生する。
【００２５】
図２は本発明のテレビドアホン装置の画像伝送の説明図であり、（Ａ）はデータ合成前の夫々のフレームの状態を示し、上が生成された縮小画像データのフレーム、下が生成された等倍画像データのフレームを表している。（Ｂ）はデータ合成後のフレームの状態を示し、上が挿入される縮小画像データ、下が等倍画像のデータフレームの空き領域に縮小画像データを挿入して伝送する様子を表している。何れも横軸はフレームを時間軸で表したもので、フレーム番号を付してある。縦軸は伝送帯域をデータサイズで表したもので、上限が伝送可能なデータ量の最大値を示している。また、図３は圧縮方式がＪＰＥＧで、等倍画像ＪＰＥＧデータと縮小画像ＪＰＥＧデータを合成した場合のフレームデータ構成を示し、（Ａ）〜（Ｄ）は第１〜第４フレームのデータ構成を示している。
【００２６】
尚、図３に示すＳＯＩはＪＰＥＧフォーマットにおけるＪＰＥＧデータの開始を表すコードで、ＥＯＩはＪＰＥＧフォーマットにおけるＪＰＥＧデータのデータの終わりを表すコードであり、それぞれＪＰＥＧデータに含まれている。これは縮小画像のＪＰＥＧデータも同じであり、このＳＯＩやＥＯＩによって等倍画像と縮小画像、或いは縮小画像同士の境界を識別している。また、データカウンタ値とは、データフレームのデータサイズをカウントした値で、最大値をｎとしている。また、図２及び図３は、等倍画像において１フレームで１画像を伝送する場合を示している。
【００２７】
等倍画像を伝送する場合、上述したように映像の複雑度に応じて随時変わるデータサイズが伝送帯域を超えて一時的に伝送できなくなってしまう状況を無くすために、平均的な映像では圧縮画像データサイズが伝送可能な最大値よりある程度小さくなるよう圧縮率が設定されている。そのため、図２に示すように、ＪＰＥＧ等で圧縮された等倍画像データのサイズは随時変わるが伝送帯域に空き領域が存在し、画像データ合成回路１９ａの制御により、その空き領域に縮小画像ＪＰＥＧデータが挿入されて伝送される。以下、具体的に説明する。
【００２８】
等倍画像ＪＰＥＧデータの終わりでＥＯＩが伝送されると、そのすぐ後に縮小画像ＪＰＥＧデータが挿入される。縮小画像ＪＰＥＧデータが１つのフレーム内で収まる場合には、次に送るべき縮小画像ＪＰＥＧデータがない為、フレームはそこで伝送を終了させる。フレームが終わるまでに縮小画像ＪＰＥＧデータの伝送が終わらない場合は、そこで伝送を中断し、次のフレームの伝送を開始させる。
次のフレームの伝送では、最初と同様に等倍画像ＪＰＥＧデータの先頭から伝送を開始し（図３（Ａ）〜（Ｄ）に示す）、等倍画像データの伝送が終わったら、前フレームで中断した縮小画像データの続きから伝送が再開される。このフレームの伝送途中で縮小画像データの伝送が終わった場合、次に送るべき縮小画像データがあるので、続けて次の縮小画像データを伝送する（図３（Ｂ），（Ｄ）に示す）。但し、次に送る縮小画像データは、その時点で等倍画像のフレーム番号に一致する最新のフレームデータとなる。この後、フレームの終わりに合わせて伝送を中断する。
【００２９】
これを繰り返すことで、等倍画像ＪＰＥＧデータの伝送を妨げずに縮小画像ＪＰＥＧデータを並行して伝送することが可能となる。ただし、このように縮小画像を伝送した結果、一部の縮小画像のフレームは伝送されずに破棄される。図２（Ｂ）では、第１、第２、第４、第７フレームは伝送されるが、伝送されなかった第３、第５、第８フレームは破棄される状況を示している。
【００３０】
このように、１台のカメラの画像データしか送れない伝送路であっても、等倍表示用の画像は単に１画像を伝送した時と同じ圧縮率、画質を維持して良好な画像を表示する事ができるし、縮小画像も同時に伝送することができ、ピクチャ・イン・ピクチャ画面を良好に表示することができる。
また、等倍画像のデータサイズが変動しても縮小画像の表示が一定のフレームレートで伝送できるよう制御されるので、モニタ２５に表示された縮小画像の表示映像がぎこちない動作の映像にならず自然な動作で表示することが可能となり、縮小画像が長時間静止画になったり、映像に遅延が発生したり乱れるような事態を防止できる。
【００３１】
ここで、第２玄関子機１ｂのカメラ１１から出力される画像データを等倍画像データとして伝送し、第１玄関子機１ａから伝送されてきた画像データを縮小画像データとした場合の画像データ伝送の流れを具体的に説明する。図４は第２玄関子機１ｂから見た画像データ伝送の流れを示したフローチャートを示し、このフローに基づいて説明する。
【００３２】
第２玄関子機１ｂのカメラ１１が撮像を開始して画像データの出力を開始する（Ｓ１）と、この画像データは等倍画像データとして居室親機２に伝送されるため、画像縮小部１２は縮小動作せずに入力した画像データをそのまま画像圧縮部１３に出力する。この画像データは画像圧縮部１３において圧縮され（Ｓ２）、第２伝送部１９、伝送路Ｌ２を介して居室親機２へ伝送される（Ｓ３）。このとき第２伝送部１９は、１フレームの伝送データカウントを開始する（Ｓ４）。
【００３３】
カメラ１１から１フレーム分の画像データの出力が終了し（Ｓ５）、画像データの圧縮が完了し（Ｓ６）、等倍画像の伝送が完了したら（Ｓ７）、第２伝送部１９は伝送線Ｌ１を介して第１玄関子機１ａから伝送された縮小画像データの伝送を開始する。このとき、前回のフレームの伝送完了時に縮小画像のフレーム伝送も完了したか判断し（Ｓ８）、完了していたら新規のフレームの縮小画像の伝送を開始し（Ｓ９）、終了していなかったら前回中断した縮小画像の続きを伝送する（Ｓ１０）。
【００３４】
こうして伝送を開始した縮小画像データのフレームが、伝送データカウンタが最大値に成る前に終了したら（Ｓ１１でｙｅｓ）、縮小画像の伝送を終了して（Ｓ１３）、新規のフレームの縮小画像の伝送を開始する。
一方、縮小画像データのフレームが終了する前にフレームの伝送データカウンタが最大値になったら（Ｓ１２でｙｅｓ）縮小画像の伝送を中断し（Ｓ１４）、次の等倍画像のフレームの伝送に入る（Ｓ１５）。こうして、フローの最初に戻り、カメラ１１から次の画像データを入手し（Ｓ１）、等倍画像データの圧縮等を繰り返す。
このように、等倍画像データを送信するフレームの空き領域を利用して縮小画像データが伝送される。
【００３５】
尚、上記実施形態では、縮小表示画面は等倍表示画面と同程度のフレーム数として動きを重視して画質を落としているが、フレーム数を落として高画質な静止画を伝送しても良い。また、縮小画像データを等倍画像データのデータフレームの空き領域のみを使って伝送しているが、これに加えて音声データ伝送の空き領域を利用しても良い。
また、玄関子機１は２台として説明しているが、３台であっても更に多くても良く、等倍画像データの空き領域で伝送する縮小画像データは複数であっても良い。
【符号の説明】
【００３６】
１・・玄関子機、２・・居室親機、１１・・カメラ、１２・・画像縮小部、１３・・画像圧縮部、１４・・圧縮率判定部、１５・・量子化テーブル生成部、１８・・第１伝送部、１９・・第２伝送部、１９ａ・・画像データ合成回路、２１・・伝送部、２３・・画像バッファ部、２４・・画像合成部、２５・・モニタ、２９・・親機ＣＰＵ（出力画像制御部、圧縮率操作手段）。
【図１】
2012205107.tif 000003
【図２】
2012205107.tif 000004
【図３】
2012205107.tif 000005
【図４】
2012205107.tif 000006